(57)【要約】【課題】引き抜き式の防犯ブザーにおいて突然誘拐犯や窃盗犯等に遭遇した際、自身でも作動できるが加害者からの剥奪行為があっても作動する手段を有する防犯ブザーを提供する。【解決手段】ケーシング２の内部から外方に向けて異なる方向に突出する複数の作動ピン１１，１２を設け、該作動ピン１１，１２のそれぞれが上記ケーシング２から離脱することで警報音を発する回路を構成する。この構成によれば、ブザー６を自身でも作動できるが作動ピン１１，１２の何れかをバッグ１６や学童の持物等に連結させることで該バッグ１６等が剥奪されることでもブザー６を作動させることができる。【選択図】図１
0003121699.tif 000002
【実用新案登録請求の範囲】
【請求項１】
単一のケーシングと、該ケーシングに格納される電池と、該電池から電源が供給されて作動する警報用のブザーと、ケーシングから離脱することでブザーと電池間の回路を通電状態にする作動ピンとを備えた防犯ブザーにおいて、
上記ケーシングの内部から外方に向けて異なる方向に突出する複数の上記作動ピンを設け、該作動ピンのそれぞれが上記ケーシングから離脱することで警報音を発する回路構成としたことを特徴とする防犯ブザー。
【請求項２】
上記作動ピンを、ケーシングの一方端と対向する他方端とに設けたことを特徴とする請求項１に記載の防犯ブザー。
【請求項３】
上記ケーシングに、被着体と着脱自在に止着する止着手段を設けていることを特徴とする請求項１または２に記載の防犯ブザー。
【請求項４】
上記ケーシングと被着体に対して止着する基台との間に、該基台に対してケーシングを回転自在に支持する回転手段を有することを特徴とする請求項１または２に記載の防犯ブザー。
【請求項５】
上記作動ピンの一方が操作用の把持部材と連結され、対向する他方が被剥奪物と連結する手段を有することを特徴とする請求項１から４のいずれかに記載の防犯ブザー。
【請求項６】
上記ケーシングに設ける止着手段がランドセルへの止着用であり、被剥奪物へ連結する手段が、ランドセル本体に対して着脱自在の被せ蓋またはそのカバーへの連結具であることを特徴とする請求項５に記載の防犯ブザー。
【考案の詳細な説明】
【技術分野】
【０００１】
本考案は、警報音を発することで周囲に自己の緊急事態を知らせる引き抜き式の防犯ブザーに関するものである。
【背景技術】
【０００２】
近年では、登下校時の学童を狙った誘拐事件や、夜道の一人歩きを狙った傷害事件、通行人のバッグを狙った金品目的の盗難事件などが多発している。そして、これらの犯行が行われる現場も路上や駐車場といった誰もが普段利用し、一見人目に付くと思われるような場所でも起きていることから早急な対策が必要であると考えられる。また、これらの犯罪は事前に予測することが不可能の為、突然の恐怖に萎縮してしまい声を発することが出来ない場合もある。そこで、例えば特許文献１のように紐を引くことで警報音を発することで犯人を威嚇し、さらに周囲に自身の緊急事態を知らせる防犯ブザーがある。
【０００３】
【特許文献１】実用新案登録第３１０２５６２号
【０００４】
この種の携帯用の防犯ブザーは、単一のケーシングと、ケーシング内部の乾電池と、警報音を発するブザーと、ブザーと乾電池間の回路を通電させる作動ピンとを備えており、該作動ピンには操作紐が連結されている。この防犯ブザーは上記作動ピンをケーシング内部に挿入した状態で携帯されるもので、自己の身に危険が生じた際に操作紐を引張り作動ピンがケーシングから引き抜かれると、上記回路間が通電し強烈な警報音を発するように形成されており、この警報音が周囲への救助信号となるとともに誘拐犯や暴漢等を威嚇して現場からの逃亡を促し事件を未然に防止するものである。
【考案の開示】
【考案が解決しようとする課題】
【０００５】
しかしながら、従来の防犯ブザーによると、ブザーを作動させるには使用者自身が作動ピンの操作紐を引張操作することが必要であった。すなわち、上記ブザーは紐を引張るといった単純動作によって作動するものの、緊急時の混乱した状況下ではこの動作でさえ困難になってしまう場合が考えられ、結果として警報音を発することが出来なくなってしまう場合が考えられる。一方、窃盗犯や暴漢に襲われた時はバッグやその他の持物等を奪われることが多く、この場合にはその剥奪行為自体によっても上記防犯ブザーが作動することが望まれる。
そこで、本考案の技術的課題は、引き抜き式の防犯ブザーにおいて突然誘拐犯や窃盗犯、暴漢等に遭遇した際、自身でも作動できるが加害者からの剥奪行為があっても作動する手段を有する防犯ブザーを提供することにある。
【課題を解決するための手段】
【０００６】
上記課題を解決するため、本考案の防犯ブザーは、単一のケーシングと、該ケーシングに格納される電池と、該電池から電源が供給されて作動する警報用のブザーと、ケーシングから離脱することでブザーと電池間の回路を通電状態にする作動ピンとを備えた防犯ブザーにおいて、上記ケーシングの内部から外方に向けて異なる方向に突出する複数の上記作動ピンを設け、該作動ピンのそれぞれが上記ケーシングから離脱することで警報音を発する回路構成としたことを特徴とするものである。
【０００７】
本考案の好ましい実施形態においては、上記作動ピンが、ケーシングの一方端と該ケーシングを介して対向する他方端とに設けられる。
【０００８】
本考案においては、上記ケーシングは、被着体と着脱自在に止着する止着手段を設けていてもよい。
また、上記ケーシングと被着体に対して止着する基台との間に、該基台に対してケーシングを回転自在に支持する回転手段を設けることができる。
更に、本考案は、上記作動ピンの一方が操作用の把持部材と連結され、対向する他方が被剥奪物と連結する手段を有することにより構成されていてもよい。
【０００９】
本考案においては、上記ケーシングに設ける止着手段がランドセルへの止着用であり、被剥奪物へ連結する手段を、ランドセル本体に対して着脱自在の被せ蓋またはそのカバーへの連結具とすることができる。    
【００１０】
本考案は、引き抜き式の防犯ブザーにおいて、複数の作動ピンのそれぞれがケーシングから離脱することで警報音を発する回路構成としたことによって、上記作動ピンの何れを引き抜いてもブザーが作動するため複数方向から操作可能となる。よって、ブザーを自身でも作動できるが作動ピンの何れかをバッグや学童の持物等に連結させることで該バッグ等が剥奪されることでもブザーを作動させることができる。
【考案の効果】
【００１１】
以上に記述した本考案によれば、引き抜き式の防犯ブザーにおいて、突然誘拐犯や窃盗犯等に遭遇した際、自身でも作動できるが加害者からの剥奪行為があっても作動し警報音を発することができる。
【考案を実施するための最良の形態】
【００１２】
図１ないし図２は本考案に係る防犯ブザー１の好ましい一実施形態を示すもので、この防犯ブザー１は、単一のケーシング２を備え、該ケーシング２は２つの丸い浅皿状のケーシング片を合わせることで構成され、これらはねじとねじ孔による組合せにより分割できる構成となっている。上記ケーシング２の一方端と中心に対して対称位置にある他方端とには作動ピン１１，１２を挿入するための挿入孔３，４が形成され、上記ケーシング２の内部においては、２本の電池５と、ブザー６と第１スイッチ機構７および第２スイッチ機構８とが設けられている。なお、上記ケーシング２の形状は角柱形状やその他の任意の形状とすることができる。
【００１３】
上記挿入孔３付近に設けられた第１スイッチ機構７は一対の接触片９ａ，１０ａによって構成され、上記挿入孔４付近に設けられた第２スイッチ機構８は一対の接触片９ｂ，１０ｂとによって構成されており、ケーシング２の一方端側に設けられた上記接触片９ａとその他端側に設けられた接触片９ｂとが導電性の金属板９によって連結され、また接触片１０ａと１０ｂとが導電性の金属板１０によって連結されている。
そして、接触片９ａ，９ｂが一方の電池５の負電極と接続され、該電池５の正電極がブザー６の一方の端子と接続され、また、ブザー６の他方の端子が他方の電池５の負電極と接続され、該電池５の正電極が接触片１０ａ，１０ｂと接続されている。これにより、上記接触片９ａと接触片１０ａ、または、接触片９ｂと接触片１０ｂとが接続されると電池５とブザー６間が閉回路を形成し、ブザー６に電源が供給されて警報音を発するように構成されている。
【００１４】
上記挿入孔３，４に挿入する作動ピン１１，１２は非導電性の部材により形成され、図１に示すようにケーシング２の一方端側の上記挿入孔３に挿入される作動ピン１１は、その先端部が第１スイッチ機構７を形成する上記接触片９ａと接触片１０ａとの間に嵌入され、ケーシング２を介して対向する他方端側に設けられた作動ピン１２の先端部は、第２スイッチ機構８を形成する接触片９ｂと接触片１０ｂの間に嵌入され、そして、上記両ピン１１，１２はケーシング２から一部を突出させた状態で位置保持されている。
即ち、上記作動ピン１１，１２を挿入口３，４に挿入しケーシング２内部のスイッチ機構７，８の接触片を押し広げている場合には、該スイッチ機構７，８のそれぞれが非接触状態となっているためブザー６への通電が遮断される。また、上記作動ピン１１，１２の少なくとも一方が接触片の間から引き抜かれると、接触片９ａと１０ａ、または接触片９ｂと１０ｂが弾性的に接触する状態となり、ブザー６に通電される。
【００１５】
上記作動ピン１１，１２の外端部にはそれぞれチェーン１３，１４が取付られている。上記作動ピン１１は上記チェーン１３によって使用者が握持するための把持部材１５と連結されており、上記作動ピン１２はチェーン１４によってバッグ１６等の被剥奪物と連結する連結具が取り付けられている。また、上記ケーシング２を構成するケーシング片の一方には、止着手段を構成するベルト１７が取付けられている。該ベルト１７の両端には相互に接合する面ファスナーが取付けられ、即ち、該ベルト１７の一端に鉤型突起１８を備え、他端に上記鉤型突起１８と係合する輪奈１９とを備えており、上記ベルト１７を身体の一部やランドセルの背負いベルト、自転車の篭等に巻き付けることで着脱自在に取付ることができる。このように、上記ベルト１７を備えることにより被着体に取付けることができ、収納したり常に手で持つ必要がなく携帯することが便利になる。
また、上記止着手段は、上記ピン１１，１２がケーシング２から離脱する際の引張作用によっても防犯ブザー１が被着体から外れない程度の係止力を持つものであれば、ベルト１７に限定されずに、ボタンやホックなどによる止着手段を用いることもできる。
【００１６】
このように構成した防犯ブザー１は、図３及び図４に例示するように、使用者が上記把持部材１５を握時して該把持部材１５を引張ることにり、チェーン１３によって連結された作動ピン１１をケーシング２の一方から離脱させ警報音を発報させることができる。また、上記チェーン１４によって上記作動ピン１２とバッグ１６とを連結しておくと、該バッグ１６が何者かによって引っ張られた場合においても上記ピン１２がケーシング２の他方側から離脱して警報音が発報される。
なお、チェーン１４とバッグ１６の取っ手との止着は、該チェーン１４の先端に面ファスナー付きのベルトを付設して、上記ベルトをバッグ１６の取っ手に巻き付けることなどによって止着することができる。
【００１７】
また、図５に例示するように、防犯ブザー１のケーシング２に、ランドセル２０の背負いベルト２２に止着するための手段として止着バンド１７ａを設け、一方のチェーン１３に把持部材１５を設け、他方のチェーン１４に、ランドセル本体２１に対して面ファスナー等で着脱自在とした被せ蓋２３（またはそのカバー）に連結する連結具２４を設けることができる。このように被せ蓋２３を着脱自在にしておくと、逃げようとする学童のランドセルを暴漢が背後から掴んで引張ったとき、被せ蓋２３が外れると同時にそれにチェーン１４を介して連結した作動ピン１２が抜けるため、ブザー６が作動することになる。
【００１８】
上記構成を有する防犯ブザー１は、ケーシング２の一方側のピン１１とケーシング２を介して対向位置にあるピン１２のそれぞれがケーシング２から離脱することで警報音を発する回路構成としたことによって、上記ピン１１，１２の何れを引き抜いてもブザー６を作動することが可能となる。
よって、把持部材１５を握時し自身で引張操作することでケーシング２の一方側の作動ピン１１が離脱してブザー６を作動することができ、また、他方側の作動ピン１２をチェーン１４によってバッグ１６等の持物と連結しておくと、窃盗犯などにバッグ１６等を引張られたり剥奪された場合でも上記ケーシング２からピン１２が離脱してブザー６を作動させることが可能となり、緊急時でもより確実に警報音を発することができる。
【００１９】
図６は、上記防犯ブザーにおけるケーシング２の他の止着態様を示すもので、上記ケーシング２と、両面接着テープやマグネットで適宜被着体に対して止着可能にした基台３０との間に、該基台３０に対してケーシング２を回転軸３１によって回転自在に支持する回転手段を設けている。このように、ケーシング２を回転自在にしておくと、チェーン１３または１４が引かれたとき、その力でケーシング２が回転して作動ピン１１または１２がその力の作用方向に向き、該ピンが引き抜かれやすくなる。
なお、上記ケーシング２を更に３次元的に回転可能にしておくことにより、立体的ないずれの方向からチェーン１３または１４が引かれても、作動ピン１１または１２をその方向に向けることが可能になる。
【図面の簡単な説明】
【００２０】
【図１】本考案に係る防犯ブザーの実施例の内部構造を概略的に示す構造図である。
【図２】本考案に係る防犯ブザーの電気回路構成を示した回路図である。
【図３】本考案に係る防犯ブザーの使用態様を示す外観図である。
【図４】図３の使用態様において作動ピンが離脱した状態を示す外観図である。
【図５】本考案に係る防犯ブザーの他の使用態様を示す外観図である。
【図６】本考案に係る防犯ブザーの他の止着態様を示す側面図である。
【符号の説明】
【００２１】
１  防犯ブザー
２  ケーシング
５  電池
６  ブザー
１１，１２  作動ピン
１５  把持部材
【図１】
0003121699.tif 000003
【図２】
0003121699.tif 000004
【図３】
0003121699.tif 000005
【図４】
0003121699.tif 000006
【図５】
0003121699.tif 000007
【図６】
0003121699.tif 000008